(57)【要約】【課題】磁気テープとの間の安定した摺動特性を確保しつつ摺動面形状を必要最小限の部材で構成でき、部品点数を減らし低コスト化を図った磁気ヘッド装置を提供する。【解決手段】複数の磁気ヘッド素子１２を一側面に有するヘッドチップ１３と、ヘッドチップ１３の一側面に対向するように、これらヘッドチップを挟持するように配設された一対のレールチップ１４と、これらヘッドチップ１３を取り付ける台座１５と、複数の磁気ヘッド素子１２の端子部１２ａと接続されたフレキシブルプリント配線基板１６とから構成される磁気ヘッド装置１のレールチップ１４をヘッドチップ１３の長辺長よりも大とし且つ磁気テープの摺動範囲を確保するに足る長さとする。【選択図】　図１
2004030804.tif 000002
【特許請求の範囲】
【請求項１】
テープ摺動面にレールを有し磁気ギャップを臨ませてなる一対のヘッドチップと、
上記摺動面にレールを有し上記一対のヘッドチップを挟持する一対のレールチップと、
上記一対のヘッドチップを保持する一対の台座とを備え、
上記レールチップの長辺長は、上記ヘッドチップの長辺長よりも大であり、
上記ヘッドチップの上記レールと上記レールチップの上記レールのみで上記摺動面を構成することを特徴とする磁気ヘッド装置。
【請求項２】
上記レールチップは、快削性材料であることを特徴とする請求項１記載の磁気ヘッド装置。
【請求項３】
上記快削性材料は、ＣａＴｉＯ３、ＢａＴｉＯ等の低硬度セラミックス材料又は、フェライト等の金属材料であることを特徴とする請求項２記載の磁気ヘッド装置。
【請求項４】
上記台座は、快削性材料又は樹脂材料であることを特徴とする請求項１記載の磁気ヘッド装置。
【発明の詳細な説明】
【０００１】
【発明の属する技術分野】
本発明は、磁気ヘッド装置に関し、特に、磁気テープとの摺動面形状を最小限の部材で構成する磁気ヘッド装置に関する。
【０００２】
【従来の技術】
従来より、磁気記録テープの記録トラックを再生する際には、図３に示すような所謂マルチチャンネル方式の磁気ヘッド装置が知られている。この磁気ヘッド装置１００は、磁気記録テープが摺動する摺動面１０１上に、複数の磁気ヘッド素子１０２の磁気ギャップが並列して臨まされてなり、これら複数の磁気ヘッド素子１０２により、磁気記録テープに対して信号を記録再生するものである。
【０００３】
また、磁気ヘッド装置１００は、複数の磁気ヘッド素子１０２の一側面に有するヘッドチップ１０３と、ヘッドチップ１０３を挟持するように配設された一対のサイドチップ１０４と、これらヘッドチップ１０３及びサイドチップ１０４を取り付ける台座１０５と、ヘッドチップ１０３及びサイドチップ１０４の側面に配置された一対のレールチップ１０６と、複数の磁気ヘッド素子１０２の端子部１０２ａと接続されたフレキシブルプリント配線基板１０７とから構成されている。ここで、ヘッドチップ１０３、サイドチップ１０４及び台座１０５には、例えば、アルミナ−チタンカーバイド（Ａｌ２Ｏ３−ＴｉＣ）等の高価で高硬度なセラミックス材料が用いられている。
【０００４】
【発明が解決しようとする課題】
ところが、従来の磁気ヘッド装置１００のような構造では、図３及び図４に示すように、磁気テープに対して読み取り／書き込みを担うヘッドチップ１０３だけでなく、サイドチップ１０４上面等、実際には読み取り／書き込みに関与しない部分もまた摺動面を構成しており、該磁気ヘッド装置１００を構成する部材に不要な箇所があった。
【０００５】
そこで本発明は、上述のような課題に鑑みてなされたものであり、磁気テープと当該磁気ヘッド装置との安定した摺動特性を確保しつつ摺動面形状を必要最小限の部材で構成でき、部品点数を減らし低コスト化を図った磁気ヘッド装置を提供することを目的とする。
【０００６】
【課題を解決するための手段】
上述の目的を達成するために、本発明に係る磁気ヘッド装置は、テープ摺動面にレールを有し磁気ギャップを臨ませてなる一対のヘッドチップと、上記摺動面にレールを有し上記一対のヘッドチップを挟持する一対のレールチップと、上記一対のヘッドチップを保持する一対の台座とを備え、上記レールチップの長辺長は、上記ヘッドチップの長辺長よりも大であり、上記ヘッドチップの上記レールと上記レールチップの上記レールのみで上記摺動面を構成することを特徴とする。
【０００７】
ここで、上記レールチップとして、快削性材料を用いることもできる。この快削性材料としてＣａＴｉＯ３、ＢａＴｉＯ等の低硬度セラミックス材料又は、フェライト等の金属材料を用いることが好ましい。
【０００８】
【発明の実施の形態】
本発明の具体例について、図面を参照して詳細に説明する。図１は、本発明の具体例として示す磁気ヘッド装置の外観を示し、図２は、磁気ヘッド装置の摺動面側からの眺望を示している。
【０００９】
磁気ヘッド装置１は、図１及び図２に示すように、磁気記録テープが摺動する摺動面１１上に、複数の磁気ヘッド素子１２の磁気ギャップが並列して臨まされてなり、これら複数の磁気ヘッド素子１２により、磁気記録テープに対して信号を記録再生するものである。
【００１０】
また、磁気ヘッド装置１は、複数の磁気ヘッド素子１２を一側面に有するヘッドチップ１３と、ヘッドチップ１３の一側面に対向するように、これらヘッドチップを挟持するように配設された一対のレールチップ１４と、これらヘッドチップ１３を取り付ける台座１５と、複数の磁気ヘッド素子１２の端子部１２ａと接続されたフレキシブルプリント配線基板１６とから構成されている。
【００１１】
磁気ヘッド装置１において、複数の磁気ヘッド素子１２は、例えば、磁気抵抗効果素子等を成膜してなる再生部や、スパッタリング法及びフォトエッチング法等の手法により形成されてなる電磁誘導型の記録部をそれぞれ備え、例えばアルミナ−チタンカーバイド（Ａｌ２Ｏ３−ＴｉＣ）から成るセラミックス基板上に形成されている。
【００１２】
ヘッドチップ１３は、例えば、アルミナ−チタンカーバイド（Ａｌ２Ｏ３−ＴｉＣ）等のセラミックス材料から成り、セラミックス基板上の一側面上に並列して配された複数の磁気ヘッド素子１２を備えている。ここで、ヘッドチップ１３は、上述したセラミックス基板上に多数の磁気ヘッド素子１２を同時に形成し、その後、セラミックス基板を所定の形状に切り出すことによって形成されている。
【００１３】
レールチップ１４は、その中央でヘッドチップ１３の磁気ヘッド素子１２における端子部１２ａを除く領域を覆い、ヘッドチップ１３の長辺長よりも大きな形状とされる。
【００１４】
摺動面１１を構成するレールチップ１４は、ヘッドチップ１３と同様、例えば、アルミナ−チタンカーバイド（Ａｌ２Ｏ３−ＴｉＣ）等のセラミックス材料を用いることができる。このレールチップ１４には、磁気ヘッド素子１２の端子部１２ａを挟み込む部分に切欠部１７が形成されている。
【００１５】
また、レールチップ１４には、Ａｌ２Ｏ３−ＴｉＣに比べ低価格で且つ快削性を有するＣａＴｉＯ３又はＢａＴｉＯ等の低硬度セラミックス材料又は、フェライト等の金属材料を用いることもできる。このように快削性を有し低価格の材料を使用することにより、製造コストが低減できる。
【００１６】
台座１５には、レールチップ１４と同様に快削性材料のフェライトやＣａＴｉＯ３又はＢａＴｉＯ等の低硬度セラミックス材料又は樹脂材料を用いることができる。樹脂材料とした場合、ヘッドチップ１３、レールチップ１４及び台座１５間が絶縁されるため、静電気によるヘッド特性の低下のおそれ生じる。そのため、この場合は、ヘッドチップ１３、レールチップ１４及び台座１５間を導電性樹脂により接合することが好ましい。
【００１７】
以上のように構成された磁気ヘッド装置１を製造する際には、ヘッドチップ１３、レールチップ１４及び台座１５を組み合わせて接合するとともに、摺動面に摺動レールを設け円筒加工した後、フレキシブルプリント配線基板１６を取り付ける。そして、フレキシブルプリント配線基板１６が位置決めされた状態で、フレキシブルプリント配線基板１６と磁気ヘッド素子１２の端子部１２ａとをワイヤーボンディング等により接続する。
【００１８】
上述したようにレールチップ１４及び台座１５に快削性を有する低硬度材料を使用することにより、加工性が向上し、製造コストを削減できる。また、磁気ヘッド装置自体の軽量化が図れることで、トラッキング状態の際に必要となる磁気ヘッドの上下移動がスムーズに行うことが可能となり、更にＶＣＭ（Ｖｉｒｔｕａｌ　Ｃｈ−ａｎｎｅｌ　Ｍｅｍｏｒｙ）方式等のトラッキングで用いられる制御用コイルを小型化にすることが可能となる。
【００１９】
なお、本発明は、上述した実施の形態のみに限定されるものではなく、本発明の要旨を逸脱しない範囲において、種々の変更が可能であることは勿論である。
【００２０】
【発明の効果】
以上詳細に説明したように、本発明に係る磁気ヘッド装置は、テープ摺動面にレールを有し磁気ギャップを臨ませてなる一対のヘッドチップと、記摺動面にレールを有し一対のヘッドチップを挟持する一対のレールチップと、一対のヘッドチップを保持する一対の台座とを備え、レールチップの長辺長は、ヘッドチップの長辺長よりも大であり、ヘッドチップのレールとレールチップのレールのみで摺動面を構成することで、磁気テープと当該磁気ヘッド装置との安定した摺動特性を確保しつつ摺動面形状を必要最小限の部材で構成できる。これにより、製造コストを低減できる。
【００２１】
また、レールチップとして、ＣａＴｉＯ３、ＢａＴｉＯ等の低硬度セラミックス材料又は、フェライト等の金属材料を用いることによって、加工性が向上し、製造コストを削減できる。また、磁気ヘッド装置自体の軽量化が図れる。
【図面の簡単な説明】
【図１】本発明の具体例として示す磁気ヘッド装置の外観図である。
【図２】上記磁気ヘッド装置を摺動面側から眺望した平面図である。
【図３】従来の磁気ヘッド装置の外観図である。
【図４】従来の磁気ヘッド装置を摺動面側から眺望した平面図である。
【符号の説明】
１　　　　磁気ヘッド装置
１１　　　摺動面
１２　　　磁気ヘッド素子
１３　　　ヘッドチップ
１４　　　レールチップ
１５　　　台座
１６　　　フレキシブルプリント配線基板
１７　　　切欠部
【図１】
2004030804.tif 000003
【図２】
2004030804.tif 000004
【図３】
2004030804.tif 000005
【図４】
2004030804.tif 000006